(57)【要約】【課題】締め付け具を着脱する時に大きい音が発生することなく、かつ、締め付け状態を容易に調整することができ、しかも、締め付け具を設けている部位が柔軟であって、良好な装着感が得られる手袋を提供する。【解決手段】バンド部材と該バンド部材に対する固着部から構成される締め付け具を備えた手袋において、前記バンド部材および前記固着部に可撓性の高い、磁力を有するシート状材料を配設し、前記バンド部材が前記固着部に磁着されるようにする。【選択図】図１
0003165251.tif 000002
【実用新案登録請求の範囲】
【請求項１】
バンド部材と該バンド部材に対する固着部から構成される締め付け具を備えた手袋において、前記バンド部材の裏面部および前記固着部に可撓性の高い、磁力を有するシート状材料を配設し、前記バンド部材が前記固着部に磁着されるようにしたことを特徴とする手袋。
【請求項２】
バンド部材と該バンド部材に対する固着部から構成される締め付け具を備えた手袋において、前記バンド部材を可撓性の高い、磁力を有するシート状材料から形成するとともに、前記固着部に前記シート状材料を配設し、前記バンド部材が前記固着部に磁着されるようにしたことを特徴とする手袋。
【請求項３】
請求項２記載の手袋において、
前記バンド部材を形成する前記シート状材料は、両面が着磁されているものであることを特徴とする手袋。
【考案の詳細な説明】
【技術分野】
【０００１】  本考案は、ゴルフ、野球等のスポーツをする時などに着用される手袋に関する。
【背景技術】
【０００２】  ゴルフに使用される手袋としては、面ファスナー式の締め付け具を備えたものが多くある（特許文献１）。この手袋は、バンド部材の裏面と手甲部の表面に配置された固着部に面ファスナーが取り付けられているので、固着部に対しバンド部材を位置調整して係着することによって、締め付け状態を容易に調整することができる。また、面ファスナーは柔軟性があるので、手袋の装着感が悪くなることがない。【０００３】  しかし、面ファスナー式の締め付け具では、着脱する時に、面ファスナーを剥がすことによってバリバリという大きい音が発生し、この剥がす時の音が、同伴プレーヤーのプレーの中断やスショットの原因になることがあった。
【先行技術文献】
【特許文献】
【０００４】
【特許文献１】実用新案登録第３１００４９４号公報
【考案の概要】
【考案が解決しようとする課題】
【０００５】  そこで、この剥がす時の音を減音するタイプの面ファスナーが開発されているが、剥がす音のより小さいものが求められている。また、面ファスナーに替えて締め付け具に板状、ボタン状等の通常のマグネットを使うことが提案されているが、取り付けが容易でなく、また、通常のマグネットでは可撓性が乏しいために手袋の装着感が悪くなるという不具合がある。【０００６】  本考案は、上記の不具合を解決するためになされたものであり、締め付け具を着脱する時に大きい音が発生することなく、かつ、締め付け状態を容易に調整することができ、しかも、締め付け具を設けている部位が可撓性を有し、良好な装着感が得られる手袋を提供することを目的とする。
【課題を解決するための手段】
【０００７】  請求項１記載の考案に係る手袋は、バンド部材と該バンド部材に対する固着部から構成される締め付け具を備えた手袋において、前記バンド部材の裏面部および前記固着部に可撓性の高い、磁力を有するシート状材料を配設し、前記バンド部材が前記固着部に磁着されるようにしたことを特徴とする。【０００８】  請求項２記載の考案に係る手袋は、バンド部材と該バンド部材に対する固着部から構成される締め付け具を備えた手袋において、前記バンド部材を可撓性の高い、磁力を有するシート状材料から形成するとともに、前記固着部に前記シート状材料を配設し、前記バンド部材が前記固着部に磁着されるようにしたことを特徴とする。【０００９】  請求項３に記載する手袋は、前記バンド部材を形成する前記シート状材料を両面が着磁されているものにすることができる。
【考案の効果】
【００１０】  本考案によれば、締め付け具をシート状マグネット材料からなるファスナーにしたことにより、締め付け具を着脱する時に大きい音が発生することがない。締め付け具の一方であるバンド部材を他方の固着部に位置を調整して固着することができるので、締め付け状態の調整が容易にできる。磁力を有するシート状材料は、薄くて可撓性が高いものであるため、これにより締め付け具を設けている部位の柔らかさが著しく低下することがなく、良好な装着感が損なわれることもない。【００１１】  さらに、バンド部材を両面着磁されているシートから形成する場合、マグネットが付くように構成されたボールマーカーをバンド部材の表面部に対しても取り付けられるため、ボールマーカーの保持具として使用することができる。
【図面の簡単な説明】
【００１２】
【図１】本考案の実施形態に係る手袋の締め付け具を付けた状態を手甲部側から見た図である。
【図２】本発明の実施形態に係る手袋の締め付け具を外した状態を手甲部側から見た図である。
【考案を実施するための形態】
【００１３】  本考案の実施の形態を図面を参照して説明する。
【００１４】  図１は、本考案の実施形態に係る手袋１０の締め付け具（バンド部材１８および固着部２０）を付けた状態、図２は、本考案の実施形態に係る手袋１０の締め付け具を外した状態を、手甲部１２側から見た図である。
【００１５】  手袋１０は、ゴルフをする時に装着されるものであり、手甲部１２および手平部（図示省略）と、５本の指部とから構成され、手甲部１２の小指部寄りの裾部１４から指部に向かってスリット部１６が形成されている。このスリット部１６の小指部側の縁部２４にバンド部材１８が縫い付けられていて、バンド部材１８の裏面部に可撓性の高い第１マグネットシート２２が縫い付けにより配設されている。また、手甲部１２の表面にバンド部材１８に対応する固着部２０が形成され、この固着部２０に可撓性の高い第２マグネットシートが縫い付けられている。マグネットシートを縫い付けにより取り付けているが、接着剤により接着して取り付けることもできる。
【００１６】  さらに、手袋１０が、面ファスナー式の締め付け具を備えている基本的なものである場合には、マグネットシートの片面の全部または一部に面ファスナーを接着などし、この面ファスナーにより、バンド部材１８の裏面部および固着部に配設されている面ファスナーに対して係着して、マグネットシートを取り付けることができる。この場合、手袋１０を廃棄するときに、面ファスナー付きマグネットシートを取り外して、新しい手袋に再使用することが可能である。
【００１７】  この実施形態の手袋１０では、マグネットシートとして、バンド部材１８の裏面部、固着部２０の略全面を覆うものを各１枚使用しているが、これに限定されるものではなく、例えば、細長いシート状のものを複数枚並べて配置するようにしてもよい。また、マグネットシートがバンド部材１８の裏面部、固着部２０の略全面を覆うように配設されていなくてもよい。
【００１８】  また、バンド部材１８の裏面部に第１マグネットシート２２を付けているが、バンド部材１８をマグネットシートから形成することもでき、マグネットシートから形成するバンド部材１８もスリット部１６の縁部２４に縫い付けることができる。この場合、固着部２０にマグネットシートを配設することは変更しなくてよい。バンド部材１８をマグネットシートから形成する場合、両面が着磁されているものを使用することにより、マグネットが付くように形成されたボールマーカー２６をバンド部材１８の表面部に保持することができる。
【００１９】  なお、バンド部材１８の裏面部と固着部２０にマグネットシートを配設する実施形態に係る手袋１０について説明したが、マグネットシートとしては、一般的なものであり、マグネット粉末を合成樹脂、ゴム等の基材中に練り込んで成形し、少なくとも片面を着磁したシートで、その着磁した面が磁力を有しているものである。このような磁力を有する層と、磁力を有しない層とを含む積層シートを使用するなど、一般のマグネットシートと実質的に同等の磁力を有するシート状の材料を使用することもできる。
【００２０】  以上の実施形態に係る手袋１０は、バンド部材１８の裏面部と固着部２０に柔らかいマグネットシートを配設しているので、バンド部材１８を固着部２０に着脱する時に大きい音が発生することがない。バンド部材１８を固着部２０に付ける時の位置を調整することにより、締め付け状態を調整できる。薄くて可撓性が高いマグネットシートを配設しているため、締め付け部位の柔らかさが低下することがなく、装着感は良好である。
【００２１】  なお、本考案は、ゴルフ、野球等のスポーツ用手袋、ハイキング、サイクリング等のレジャー用手袋、ドライブ用手袋等に好適に使用できるが、用途は限定されるものではなく、締め付け具を備えるあらゆる手袋について適用できるものである。
【符号の説明】
【００２２】１０…手袋
１２…手甲部
１４…裾部
１６…スリット部
１８…バンド部材
２０…固着部
２２…第１マグネットシート
２４…スリット部の縁部
２６…ボールマーカー
【図１】
0003165251.tif 000003
【図２】
0003165251.tif 000004